(57)【要約】      （修正有）【課題】リモートコントローラーから送られた信号を良好に受信できる便器装置を提供する。【解決手段】便器１に設けられるケース７内の付属装置をリモートコントローラー２から送られる信号によって操作する便器装置において、受信部１６，１７に向かう信号が障害物等によって遮られることをなくするために、便器１の異なる外面に、リモートコントローラー２から送られる信号の受信部１６，１７を夫々設けた。【選択図】図５
2012193543.tif 000002
【特許請求の範囲】
【請求項１】
便器の異なる外面に、リモートコントローラーから送られた信号が至る受信部が夫々設けられたことを特徴とする便器装置。
【請求項２】
便器の外面に外方に突出する突出部が設けられ、この突出部の互いに反対側を向く外面の夫々に前記受信部が設けられたことを特徴とする請求項１に記載の便器装置。
【請求項３】
前記突出部が前記便器の側面又は後面に設けられ、この突出部の上面及び下面の夫々に前記受信部が設けられたことを特徴とする請求項２に記載の便器装置。
【請求項４】
前記両受信部が信号を透過させる透過部材を備えて構成され、前記突出部の内部に受信素子が両面に実装された基板が設けられ、前記透過部材が前記各受信素子に対応する箇所に設けられたことを特徴とする請求項２又は請求項３に記載の便器装置。
【発明の詳細な説明】
【技術分野】
【０００１】
本発明はリモートコントローラーによって操作される便器装置に関する。
【背景技術】
【０００２】
例えば特許文献１には、リモートコントローラーによって操作される便器装置が開示されている。この便器装置は、リモートコントローラーから送られた信号を通すための受信部が便器後部に設けられた洗浄装置の上部に設けられている。
【先行技術文献】
【特許文献】
【０００３】
【特許文献１】特開２０００−１５４５７５号公報
【発明の概要】
【発明が解決しようとする課題】
【０００４】
ところで、トイレ室の壁には手洗いや棚等が設置されたり、手拭き用のタオルが掛けられる場合があるが、これらが受信部の上側に位置すると、リモートコントローラーから受信部に向かう信号が遮られる場合がある。また、便器に回動自在に設けられた便座や便蓋を開いたときには、これら開いた便座や便蓋によっても、受信部に向かう信号が遮られる場合がある。このため、リモートコントローラーを操作しても便器装置が応答しないといった事態が生じる恐れがある。
【０００５】
本発明は上記事情に鑑みてなされたものであって、リモートコントローラーから送られた信号を良好に受信できる便器装置を提供することを課題とする。
【課題を解決するための手段】
【０００６】
上記課題を解決するために本発明の便器装置は、便器の異なる外面に、リモートコントローラーから送られた信号が至る受信部が夫々設けられたことを特徴とする。
【０００７】
また、便器の外面に外方に突出する突出部が設けられ、この突出部の互いに反対側を向く外面の夫々に前記受信部が設けられることが好ましい。
【０００８】
また、前記突出部が前記便器の側面又は後面に設けられ、この突出部の上面及び下面の夫々に前記受信部が設けられることが好ましい。
【０００９】
また、前記両受信部が信号を透過させる透過部材を備えて構成され、前記突出部の内部に受信素子が両面に実装された基板が設けられ、前記透過部材が前記各受信素子に対応する箇所に設けられることが好ましい。
【発明の効果】
【００１０】
本発明にあっては、リモートコントローラーから送られた信号を良好に受信できる。
【図面の簡単な説明】
【００１１】
【図１】一例の便器装置の設置状態を示す側面図である。
【図２】同上の平面図である。
【図３】図２のＡ部拡大図である。
【図４】一例の便器の基板を示し、（ａ）は平面図であり、（ｂ）は側面図である。
【図５】一例の便器装置において、リモートコントローラーの信号が、上下の受信部に至る様子を示す説明図である。
【図６】他例の便器装置の設置状態を示す側面図である。
【発明を実施するための形態】
【００１２】
以下、本発明を添付図面に基づいて説明する。本実施形態の便器装置は、図１に示されるように付属装置を有する便器１と、前記付属装置を操作するリモートコントローラー２（図５参照）を備えている。
【００１３】
図２に示すように、便器１は、ボウル部４を有して、トイレ室の床上に設置される便器本体５と、前記付属装置を構成する洗浄装置６を備えている。また、便器１には、図示は省略するが、便器本体５上に載置される便座と便座を覆う便蓋が設けられ、これらは便器本体５上に倒した状態から後方で起立した状態まで回動可能となっている。
【００１４】
洗浄装置６は、人体の局部を洗浄する局部洗浄手段やボウル部４内を洗浄する便器洗浄手段等を有している。これら手段は、洗浄装置６に設けられた操作部８や、リモートコントローラー２に設けられた操作部９（図５参照）を操作することで、その動作が制御される。
【００１５】
洗浄装置６の外郭をなすケース７は、図１のように便器本体５のボウル部４後方の上面に載置されており、便器本体５の後端部から上方に向かって突出している。図２に示されるように、ケース７は平面視で便器本体５の後端部と重複し、便器本体５の後部の左右方向全長に亘って設けられている。ケース７の上面部、前面部、後面部、及び両側面部によって、便器１後端部の上端部における、上面部、前面部、後面部、及び両側面部の夫々が構成されている。なお、本実施形態のケース７は、便器本体５と一体的な外観となるように左右方向の両端位置が平面視で便器本体５の後端部の左右両端位置と略一致しているが、ケース７の左右方向の両端部は便器本体５よりも外側方に突出してもよい。
【００１６】
図１及び図２に示されるように、ケース７の一方の側面部を構成する右側面部には、外側方に向かって突出する突出部１０が形成されている。突出部１０は上下方向に対して垂直な板状で、平面視で前後に長い長方形状に形成されており、下方の便器本体５の側面部よりも外側方に突出している。図示は省略するが、突出部１０の内部には基板収納空間が形成されており、この基板収納空間には図４に示される基板１１が配置されている。
【００１７】
基板１１はプリント基板からなり、平面視で長手方向が前後方向と平行な長方形状に形成されている。基板１１には、洗浄装置６操作用の三個のスイッチ１２と、リモートコントローラー２から送信された操作信号を受信する受信素子１３，１４が実装されている。各受信素子１３，１４は赤外線受光素子からなる受信モジュールで構成されている。
【００１８】
三個のスイッチ１２と一方の受信素子１３は基板１１の上面に前後方向に並べて実装されており、これら電子部品のうち、受信素子１３は最も後方に位置し、基板１１の後端部に設けられている。他方の受信素子１４は基板１１の下面において受信素子１３に対応する位置に実装されている。以下、特に区別する場合には、受信素子１３を第一受信素子１３と記載し、受信素子１４を第二受信素子１４と記載する。
【００１９】
図３に示されるように、突出部１０の水平な上面においてスイッチ１２及び第一受信素子１３の対応する箇所には操作部８及び受信部１６が夫々設けられている。なお、図３では、受信部１６を明確にするため、受信部１６にクロスハッチングを付している。また、突出部１０の水平な下面には、図１のように第二受信素子１４に対応する箇所に受信部１７が設けられている。以下、特に区別する場合には、受信部１６を第一受信部１６と記載し、受信部１７を第二受信部１７と記載する。
【００２０】
各受信部１６，１７は突出部１０内の基板１１が外部から視認されないように赤外線透過率の高い黒色の透過部材で構成されている。また、各操作部８が手動操作されると、対応するスイッチ１２が切り替えられるようになっている。
【００２１】
一方、図５に示されるリモートコントローラー２の外面には、洗浄装置６操作用の三個の操作部９と、送信部１８が設けられている。リモートコントローラー２の内部には、操作部９が操作されたときに、操作信号として赤外線を発する送信素子（図示せず）が設けられており、送信素子から発せられた赤外線は送信部１８を介してリモートコントローラー２の外方に送られる。
【００２２】
前記リモートコントローラー２から出た赤外線は、便器１に設けられた第一受信部１６又は第二受信部１７に、直接又は図５に示されるように天井や床、壁等を反射した後、到達する。そして、突出部１０の上側から第一受信部１６に至った赤外線は、第一受信部１６を透過し、この後、突出部１０内において第一受信素子１３に至る。また、突出部１０の下側から第二受信部１７に至った赤外線は、第二受信部１７を透過し、この後、突出部１０内において第二受信素子１４に至る。そして、このように、リモートコントローラー２から出た赤外線が、第一受信素子１３又は第二受信素子１４によって受けられることで、洗浄装置６の局部洗浄手段や便器洗浄手段の動作が制御される。
【００２３】
以上説明した本実施形態の便器装置は、便器１の異なる外面に、リモートコントローラー２から送られた信号が至る受信部１６，１７が設けられている。この構成により、トイレ室の壁に設置された手洗いや棚等によって、リモートコントローラー２から一方の受信部１６に向かう信号が遮られる場合に、他方の受信部１７を介してリモートコントローラー２からの信号を受信素子１４に至らせることができる。従って、リモートコントローラー２から送られた操作信号を良好に受信することができる。
【００２４】
また、本実施形態では、便器１の外面に外方に突出する突出部１０が設けられ、突出部１０の互いに反対側を向く外面に受信部１６，１７が夫々設けられている。このため、突出部１０の両側から来た信号を良好に受信することができ、これにより受信性能が向上する。
【００２５】
また、本実施形態では、突出部１０が便器１の側面に設けられ、突出部１０の上面及び下面に受信部１６，１７が夫々設けられている。このため、図５に示されるように、リモートコントローラー２から天井を反射してきた信号と、リモートコントローラー２から床を反射してきた信号の両者を良好に受信することができる。この点、特に突出部１０の上方に、トイレ室の壁に設置された手洗いや棚、トイレ室の壁に掛けられた手拭き用のタオル等が位置する場合に有効である。また、突出部１０の下面に設けられた第二受信部１７は外観上目立ち難く、見栄えが良い。
【００２６】
また、本実施形態では、受信部１６，１７が信号を透過させる透過部材を備えて構成されている。また、突出部１０の内部に基板１１が設けられ、基板１１の両面に受信素子１３，１４が夫々実装されている。そして、透過部材が各受信素子１３，１４に対応する箇所に設けられている。この構成により、一枚の両面基板１１を用いて突出部１０の両側から来た信号を良好に受信することができ、コストを削減できる。
【００２７】
なお、本実施形態では、受信部１６，１７を信号を透過させる透過部材で構成して、受信用窓部として機能するものとしたが、受信部１６，１７は、リモートコントローラー２から送られた信号を受ける受信素子で構成しても構わない。
【００２８】
また、本実施形態では、リモートコントローラー２によって操作される付属装置を洗浄装置６としたが、付属装置はこれに限定されるものではなく、例えばボウル部４内の脱臭を行う脱臭装置等であってもよい。
【００２９】
また、本実施形態では、便器１の側面に突出部１０を設けたが、図６のように便器１の後面に突出部１０を設け、この突出部１０の上下面に受信部１６，１７の夫々を設けてもよい。さらに、突出部１０を付属装置である洗浄装置６に設けたが、便器本体５の外面等、便器１のその他の外郭を構成する部分に設け、この突出部１０に受信部１６，１７を設けてもよい。また、本実施形態では、突出部１０の上下面に受信部１６，１７を設けたが、突出部１０の前後面等、突出部１０の異なる面に受信部１６，１７の夫々を設けても構わない。さらに、受信部１６，１７は便器１から突出した突出部１０に設けなくてもよく、便器１の異なる面に設けてあればよい。
【符号の説明】
【００３０】
１  便器
２  リモートコントローラー
１０  突出部
１１  基板
１３  第一受信素子
１４  第二受信素子
１６  第一受信部
１７  第二受信部
【図１】
2012193543.tif 000003
【図２】
2012193543.tif 000004
【図３】
2012193543.tif 000005
【図４】
2012193543.tif 000006
【図５】
2012193543.tif 000007
【図６】
2012193543.tif 000008